(57)【特許請求の範囲】
【請求項１】
モジュラージャックタイプの壁設置式雌型ソケットであって、
ソケットと、ターミネーションプッシャ（１０）と、を有し、
前記ソケットの背部には、複数のI.D.C.（７）が設けられ、それらは全て同一の方向に方向付けられ、且つそれぞれが入力ケーブル（８）の中の撚り線（１１）の内の１つを受けるように構成され、
前記ターミネーションプッシャ（１０）は、前記各撚り線（１１）を受け、その後に前記ソケットの背部（１５）に差し込まれ、この差し込みの動作により、各撚り線（１１）を各I.D.C.（７）の中に押し込むように構成された、
モジュラージャックタイプの壁設置式雌型ソケットにおいて、
前記ソケットは、前記ターミネーションプッシャ（１０）を受けるための開閉可能な２つの顎部（１７，１８）を有し、これら２つの顎部（１７，１８）及び前記ターミネーションプッシャ（１０）は、顎部を閉じる動作により、前記ターミネーションプッシャ（１０）の後部（１９，２０）が顎部で把持されるとともに、テコの効果により、前記ターミネーションプッシャ（１０）が前記ソケットの背部（１５）に完全に差し込まれた位置に次第に近付くように形成され、
各顎部（１７，１８）は、２つの顎部（１７，１８）が閉じられた状態にあるときに共通の平面（Ｚ）を構成する少なくとも２つの枝状の自由端部（１７Ａ，１８Ａ）のそれぞれ一方を有し、
また、前記ターミネーションプッシャ（１０）は、対称な形状を成していて、２つの顎部（１７，１８）が閉じられた状態にあるとき、前記共通の平面（Ｚ）に対して平行な第１の方向またはその反対の第２の方向のいずれの方向からでも前記撚り線（１１）を受けることができるように構成されていること、
を特徴とするモジュラージャックタイプの壁設置式雌型ソケット。
【請求項２】
前記２つの顎部（１７，１８）がＬ字型を成していることを特徴とする請求項１に記載の壁設置式雌型ソケット。
【請求項３】
前記ターミネーションプッシャ（１０）は、その中心横断面（Ｙ）に対して対称な形状を成すとともにそれぞれ撚れ線（１１）を受ける複数の経路を有し、
各経路は、前記中心横断面（Ｙ）に対して直交する方向に延びる貫通孔（１３）と、この貫通孔（１３）に直角につながり、前記中心横断面（Ｙ）に対して平行に延びる溝部（１２）と、を有し、
それらの貫通孔（１３）は、前記ターミネーションプッシャ（１０）に形成された開口（１４）の内側に見えること、
を特徴とする請求項１または請求項２に記載の壁設置式雌型ソケット。
【発明の詳細な説明】
【０００１】
【発明の属する技術分野】
本発明はモジュラージャックタイプの壁設置式雌型ソケットに関する。
【０００２】
【従来の技術および発明が解決しようとする課題】
典型的な壁設置式雌型ソケットは、電話器やコンピュータに関連する入力ケーブル内のラインを受けるようになっている。前記ソケットには、電話器やコンピュータを必要とするユーザによって、モジュラージャックタイプの雄型ソケットが接続される。
【０００３】
一般に、従来のソケットは、その背部に接続される入力ケーブルの曲率半径を考慮して設計されていない。すなわち、入力ケーブルは状況に応じて湾曲された状態でソケットに接続される場合があり、このような状態の入力ケーブルの曲率半径を考慮してソケットが構成されてはいない。この点について、以下、図１を参照しながら詳しく説明する。
【０００４】
図１は、従来の壁設置式ソケット１に対する入力ケーブルの考えられるあらゆる接続ルートを示したものである。図示のように、ソケット１には、左右方向から延びる管状体（projecting tubings）２，３として、あるいは、後方から延びる管状体（flush-mounted tubings ）４，５として、あるいは、上方から延びる柱体（column）６として、あるいは、下方から延びるブラケット(bracket) ６Ａとして、ケーブルが接続されることが考えられる。
【０００５】
いずれにしても、ソケット１の背部に対してケーブルを接続する場合には、ケーブルが破断したりケーブルの保護材（screen）が破損することがないようにしなければならない。そのためには、ケーブルの外径の８倍よりも小さい曲率半径でケーブルを曲げなければならない。
【０００６】
また、ソケット１の背部に対してケーブルを接続する場合には、ケーブル（チューブ）を延設する深さ（depth of the routing tubing ）も考慮する必要がある。延設深さが４０ｍｍである従来のチューブにあっては、ケーブルの曲率半径を３０mmよりも小さくすることはできない。
【０００７】
無論、ケーブルの端部から引き出されるワイヤに関しては、これを折り曲げていわゆるI.D.C.（insulation-displacing contact ）に接続しても構わない。一般的には、I.D.C.はソケットの背部に２つの平行な列をなして設けられている。ワイヤを９０度に折り曲げることは一般的に許容されるが、９０度よりも大きく折り曲げることは避けるべきである。
【０００８】
いずれにしても、従来のソケットにおいては、互いに反対方向から延びるケーブルを接続することが不可能である。したがって、ケーブルの延設方向を設置される領域の状態に応じて調整する必要が生じ、ケーブルの設置の自由度が大きく制限される結果となる。
【０００９】
本発明は前記事情に着目してなされたものであり、その主な目的は、互いに反対方向から延びるケーブルを接続することが可能なモジュラージャックタイプの壁設置式雌型ソケットを提供することにある。
【００１０】
【課題を解決するための手段】
前記課題を解決するために、本発明は、全て同一の方向に方向付けられるようにして背部に設けられ且つそれぞれが入力ケーブル内のラインの撚れ線のうちの１つを受ける複数のI.D.C.と、各撚れ線を各I.D.C.に押し付けるために撚れ線のそれぞれを受けて前記背部の取付部位に着脱可能に取り付けられるターミネーションプッシャとを備えたモジュラージャックタイプの壁設置式雌型ソケットにおいて、ターミネーションプッシャを受けるための開閉可能な２つの顎部を有し、これら２つの顎部は、その閉じられた状態でターミネーションプッシャの後部を把持し得るように形成されるとともに、互いに近接するように閉じ方向に強制的に移動されることによりターミネーションプッシャを前記取付部位に押し込み接続し、また、ターミネーションプッシャは、顎部が閉じられた状態で顎部の押圧部の自由端部によって形成される平面と平行な第１の方向もしくはこれと反対の第２の方向のいずれの方向からでもラインの撚り線を受けることができるように対称な形状を成していることを特徴とする。
【００１１】
【発明の実施の形態】
以下、図面を参照しつつ本発明の一実施形態について説明する。
【００１２】
図２〜図４に示すように、壁設置式（mural ）の電話器もしくはコンピュータ対応のソケットの背部には、一般に、２つの平行な接点（I.D.C.…insulation-displacing contact ）７の列が設けられている。各列は４個のI.D.C.７で構成されている。なお、I.D.C.は国際的に採用された言語として一般に知られている。
【００１３】
図示のように、これらの８個のI.D.C.７は全て同一の方向すなわちソケットの軸に対して平行で且つソケットの後側に向かう方向に方向付けられている。各I.D.C.７はソケットに接続される４対のケーブル８の撚り線（strand）のうちの１つを受けるようになっている。図示された構成では、ケーブル８は、図示しないブラケット内で下側から延びてソケット側に到達している。符号９は一般的なアース線、ドレイン（drain ）である。
【００１４】
符号１０はターミネーションプッシャを示している。このターミネーションプッシャ１０は、ソケットから離間可能（取り外し可能）であり、プッシャ１０がソケットの背部に接続される前にラインの全ての撚り線（strand）１１を受けることができるようになっている。  プッシャ１０がソケットの背部に接続されると、撚り線１１がI.D.C.７の各スロット（insulation-displacing slot）に接続される。図３に詳しく示されるように、ターミネーションプッシャ１０はその中心横断面Ｙに対して対称に構成された特殊な形状を成しており、これにより、ラインの撚り線１１の全てを上側からでも下側からでも全く同様にしてプッシャ１０内に導入することが可能となる。
【００１５】
プッシャ１０内に導入されるラインの各撚り線１１は、プッシャ１０を通じて延びる貫通孔１３によって個別に受けられ、その後、プッシャ１０を通じて延びる溝部１２に沿って直角に折り曲げられる。貫通孔１３は中心横断面Ｙに対して垂直に延びており、また、溝部１２は中心横断面Ｙに対して平行に延びて撚り線１１をプッシャ１０の長手方向（差し込み方向）で受ける。プッシャ１０の形状はその中心横断面Ｙに対して対称となっている。そのため、図３に一点鎖線で示すように、撚り線１１を上側からも貫通孔１３内に同様にして挿通することもできる。
【００１６】
プッシャ１０には開口１４が設けられている。この開口１４を通じて開口１４の底部に位置する８本の撚り線１１を視認することができる。プッシャ１０の前側に位置するこの開口１４は、ソケットの背部に付設された受部１５（図２参照）に接続されるようになっている。なお、受部１５はI.D.C.７を保持している。
【００１７】
開口１４の底部には横方向の穴１６が形成されている。この横方向の穴１６は、貫通孔１３の後側で横方向に延びており、I.D.C.７の自由端部を受ける。この時、各撚り線１１は各I.D.C.７のスロット（receiving insulation-displacing slot）に接続される。
【００１８】
ソケットは２つのL 字型の顎部（jaw ）１７，１８を有している。これらの顎部１７，１８は、互いに接近するように移動して、プッシャ１０の後部を把持するようになっている。プッシャ１０の後部には顎部１７，１８を受けるための受け部１９，２０が形成されている。顎部１７，１８が受け部１９，２０に突き当てられると、受部１５に対してプッシャ１０が押し込められる。すなわち、このような押し込み力が形成されるように、顎部１７，１８は、受け部１９，２０に突き当てられてプッシャ１０を把持し、プッシャ１０をソケットに接続する。この接続状態では、撚り線１１が対応するI.D.C.７に接続される。
【００１９】
図５および図６は、２つの顎部１７，１８が互いに接近された状態を示している。顎部１７，１８の端部には枝状に延びる押圧部１７Ａ，１８Ａ（自由端部）が形成されており、この押圧部１７Ａ，１８Ａによってプッシャ１０の後部の受け部１９，２０が押圧される。すなわち、手の親指と人差し指との間でこれらの押圧部１７Ａ，１８Ａを横方向から押圧すれば、押圧部１７Ａ，１８Ａによってプッシャ１０の受け部１９，２０が押圧され、プッシャ１０がソケットに接続される。このような動作によって顎部１７，１８がその移動終端部まで回動されて押圧部１７Ａ，１８Ａが受け部１９，２０に完全に受けられると、プッシャ１０とソケットとが完全に接続され、各撚り線１１が対応するI.D.C.７に接続される。その状態が図７〜図９に示されている。
【００２０】
なお、ラインの撚り線１１を受ける貫通孔１３は平面X 内に位置している。この平面X は、図９に示すように顎部１７，１８が完全に閉じられた状態で押圧部１７Ａ，１８Ａの端面が位置する平面Z と平行である。
【００２１】
図９に示すように、各I.D.C.７は、ソケットの本体内で、モジュラージャクソケットの開口２２に配置される各弾性接点２１に接続されている。
【００２２】
以上説明してきたソケットによれば、撚れ線１１は、プッシャ１０によって受けられて折り曲げられる先端部を除いて、その略全ての部分が折り曲げられないで済む。すなわち、上記構成のソケットは、撚れ線１１を折り曲げることなく、後側方向または横方向から到達するケーブル８を受けることができる。
【００２３】
なお、本発明は、上記実施形態に限定されることなく、その要旨を逸脱しない範囲で種々変形実施できることは言うまでもない。  例えば、上記実施形態では各顎部１７，１８にそれぞれ２つの押圧部１７Ａ，１８Ａが設けられているが、各顎部１７，１８にそれぞれ１つの押圧部１７Ａ，１８Ａが設けられていても良い。また、上記実施形態のソケットは、４つの電話もしくはコンピュータを受けるように構成されているが、４つ以外の複数の電話もしくはコンピュータを受けるように構成されていても良い。
【００２４】
【発明の効果】
以上説明したように、本発明のモジュラージャックタイプの壁設置式雌型ソケットによれば、特に、互いに反対方向から延びるケーブルを接続することが可能である。
【図面の簡単な説明】
【図１】ソケットの従来例を示す図である。
【図２】顎部が開かれた状態のソケットの背部と、ソケットの背部に着脱自在に接続され且つ既にケーブルの撚れ線が取り付けられたターミネーションプッシャとを示す斜視図である。
【図３】図２のターミネーションプッシャの長手方向断面図である。
【図４】図３のＦ方向矢視図である。
【図５】顎部を一部閉じてターミネーションプッシャを部分的に把持した状態を示す斜視図である。
【図６】図５の位置に対応する平面図である。
【図７】顎部を完全に閉じてターミネーションプッシャを完全に把持した状態を示す斜視図である。
【図８】図７の位置に対応する平面図である。
【図９】ソケットにプッシャが完全いに取り付けられてラインの撚れ線が各I.D.C.に接続された状態を示す長手方向断面図である。
【符号の説明】
７…I.D.C.
１０…ターミネーションプッシャ
１１…撚れ線
１７，１８…顎部
【図１】
0004101344.tif 000002
【図２】
0004101344.tif 000003
【図３】
0004101344.tif 000004
【図４】
0004101344.tif 000005
【図５】
0004101344.tif 000006
【図６】
0004101344.tif 000007
【図７】
0004101344.tif 000008
【図８】
0004101344.tif 000009
【図９】
0004101344.tif 000010